(57)【要約】      （修正有）【課題】開閉操作の円滑化を図ったタブレット状菓子容器を提供する。【解決手段】上面を開放面とする矩形状容体Ａに対して、当該開放面を覆うための矩形状蓋体Ｂを摺動自在に取り付け、蓋体Ｂの正面に親指を押し当てる共に、これを下方に滑らせることに依って、蓋体Ｂの開蓋を行うように構成したタブレット状菓子の容器を形成する。さらに、当該蓋体Ｂの表面に、開蓋時に押し当てる親指に対する滑り止め効果が奏される程度の凹凸模様を形成して成る適宜の立体的な飾り模様材１を付設する。【選択図】図１
0003182654.tif 000002
【実用新案登録請求の範囲】
【請求項１】
上面を開放面とする矩形状容体(A)に対して、当該開放面を覆うための矩形状蓋体(B)を摺動自在に取り付け、蓋体(B)の正面に親指を押し当てる共に、これを下方に滑らせることに依って、蓋体(B)の開蓋を行うように構成したタブレット状菓子の容器において、
開蓋時に押し当てる親指に対する滑り止め効果が奏される程度の凹凸模様を形成して成る適宜の立体的な飾り模様材(１)を、蓋体(B)の表面所要箇所に部分的に付設したタブレット状菓子の容器。
【請求項２】
上面を開放面とする矩形状容体(A)に対して、当該開放面を覆うための矩形状蓋体(B)を摺動自在に取り付け、蓋体(B)の正面に親指を押し当てる共に、これを下方に滑らせることに依って、蓋体(B)の開蓋を行うように構成したタブレット状菓子の容器において、
開蓋時に押し当てる親指に対する滑り止め効果が奏される程度の凹凸模様を形成して成る適宜の立体的な飾り模様材(２)を、蓋体(B)の表面全体を覆うように付設したタブレット状菓子の容器。
【請求項３】
上面を開放面とする矩形状容体(A)に対して、当該開放面を覆うための矩形状蓋体(B)を摺動自在に取り付け、蓋体(B)の正面に親指を押し当てる共に、これを下方に滑らせることに依って、蓋体(B)の開蓋を行うように構成したタブレット状菓子の容器において、
当該蓋体(B)は無装飾状態とし、販売または頒布に際して、例えば商品名、ロゴマーク、キャラクターマーク等を表した立体的な飾り模様材を、当該蓋体(B)に対して後付け的に付設するように構成した請求項１または請求項２の何れかに記載のタブレット状菓子の容器。
【請求項４】
立体的な飾り模様材を合成樹脂材料で形成して成る請求項１乃至請求項３の何れかに記載のタブレット状菓子の容器。
【考案の詳細な説明】
【技術分野】
【０００１】
本考案は、ラムネ菓子等のようなタブレット状菓子を収容するための容器に関する。
【背景技術】
【０００２】
タブレット状菓子の容器としては、収容菓子を一粒ずつ打ち出すように構成したもの（例えば、特許文献１参照。）、限られた個数ずつの取り出しが出来るように構成したもの（例えば、特許文献２参照。）、更には、使用後は玩具として用いることが出来るように構成したもの（例えば、特許文献３参照。）等、各種のものが存在する。
然し乍できる、これらはタブレット状菓子の容器として、所謂定番的なものではなく、特別な形態に属するものである。  
【先行技術文献】
【特許文献】
【０００３】
【特許文献１】特開２００５―２１２８８０号
【特許文献２】特開２００６−１４３２５６号
【特許文献３】特開２００４−０５１１５４号
【考案の概要】
【考案が解決しようとする課題】
【０００４】
タブレット状菓子の容器として古くから用いられている所謂定番的なものは、図４に示すように、上面を開放面とする矩形状容体Aに対して、当該開放面を覆うための矩形状蓋体Bを摺動自在に取り付けてなるものである。  そして、その開閉操作は、図５に示すように蓋体Bの正面上方寄りに親指を押し当てる共に、これを下方に滑らせることに依って、蓋体Bを図６に示すように押し下げる。  これにより同図に示すように容体Aの上端部分が開かれ、ここから収容されているタブレット状菓子の振り出しが許容化されるようにしたものである。  なお、閉蓋操作は、上記親指で蓋体Bを逆に押し上げるようにして行われる。
【０００５】
然し乍、このような従来の容器における最大の欠点は、図５に示す状態から図６に示すように蓋体Bを押し下げようとした際に、親指に力を入れ過ぎた場合は蓋体が容体A側に押付けるように反らせてしまうため、その押し下げに齟齬をきたすこととなる。  このような事態を招かないように、逆に、出来るだけ力を加えなかった場合は、今度は、親指が滑って蓋体Bを押し下げることができない、と言うような事態を招いてしまう。
そして、この種の容器は低コストで生産する関係上、容体A及び蓋体Bの何れも肉薄な材料で形成するため、親指の力の入れ具合によって微妙な反りが生じやすく、これにより蓋体Bの開閉操作に円滑性を欠いてしまい易いと言う問題があった。
【０００６】
本考案は上記のような従来の問題点の解消化を図った新規な「タブレット状菓子の容器」の提供図ったものである。                        
【課題を解決するための手段】
【０００７】
本考案は請求項１に記載のように、上面を開放面とする矩形状容体Aに対して、当該開放面を覆うための矩形状蓋体Bを摺動自在に取り付け、蓋体Bの正面に親指を押し当てる共に、これを下方に滑らせることに依って、蓋体Bの開蓋を行うように構成したタブレット状菓子の容器において、開蓋時に押し当てる親指に対する滑り止め効果が奏される程度の凹凸模様を形成して成る適宜の立体的な飾り模様材１を、蓋体Bの表面所要箇所に部分的に付設したタブレット状菓子の容器に係る。
【０００８】
本考案は請求項２に記載のように、上面を開放面とする矩形状容体Aに対して、当該開放面を覆うための矩形状蓋体Bを摺動自在に取り付け、蓋体Bの正面に親指を押し当てる共に、これを下方に滑らせることに依って、蓋体Bの開蓋を行うように構成したタブレット状菓子の容器において、開蓋時に押し当てる親指に対する滑り止め効果が奏される程度の凹凸模様を形成して成る適宜の立体的な飾り模様材２を、蓋体Bの表面全体を覆うように付設したタブレット状菓子の容器に係る。
【０００９】
本考案は請求項３に記載のように、上面を開放面とする矩形状容体Aに対して、当該開放面を覆うための矩形状蓋体Bを摺動自在に取り付け、蓋体Bの正面に親指を押し当てる共に、これを下方に滑らせることに依って、蓋体Bの開蓋を行うように構成したタブレット状菓子の容器において、当該蓋体Bは無装飾状態とし、販売または頒布に際して、例えば商品名、ロゴマーク、キャラクターマーク等を表した立体的な飾り模様材を、当該蓋体Bに対して後付け的に付設するように構成した請求項１または請求項２の何れかに記載のタブレット状菓子の容器を実施の態様とする。
【００１０】
本考案は請求項４に記載のように、立体的な飾り模様材を合成樹脂材料で形成して成る請求項１乃至請求項３の何れかに記載のタブレット状菓子の容器を実施の態様とする。
【考案の効果】
【００１１】
本考案は請求項１に記載のような構成、すなわち、開蓋時に押し当てる親指に対する滑り止め効果が奏される程度の凹凸模様を形成して成る適宜の立体的な飾り模様材１を、蓋体Bの表面所要箇所に部分的に付設したから、蓋体Bに対する開閉操作を行うに、蓋体B
に掛けた親指に滑りを生じることなく、極めて安定した状態で行うことができる。  従って、蓋体の開閉操作の円滑化に大きく貢献する。  同時に、飾り模様材１の存在は、商品に対する興趣性の向上化に寄与することとなる。
【００１２】
本考案は請求項２に記載のような構成、すなわち、開蓋時に押し当てる親指に対する滑り止め効果が奏される程度の凹凸模様を形成して成る適宜の立体的な飾り模様材２を、蓋体Bの表面全体を覆うように付設したから、請求項１の場合と同様な作用効果を奏することとなる。
更に、蓋体部分に対して、製品としての識別性または内容の表示性を高めるための一種のラベル的な役割を担わせることが可能化される。  同時に、蓋体Bの正面部分は飾り模様材２によって全面的に補強され、親指による操作に際する反り等の変形発生が阻止されるため、蓋体Bの開閉操作の安定性確保が図られる。
【００１３】
本考案は請求項３に記載のように、蓋体Bは無装飾状態とし、販売または頒布に際して、例えば商品名、ロゴマーク、キャラクターマーク等を表した立体的な飾り模様材を、当該蓋体Bに対して後付け的に付設することに依り、各種商品の拡販材としての利用を図るのに最適なものとされる。
【００１４】
本考案は請求項４に記載のように、立体的な飾り模様材を合成樹脂材料で形成することにより、廉価にて大量生産に適した形態での実施が可能化される。  特に、合成材料としてビニール等軟質なものを用いることに依り、触感性の向上化も図られる。
【図面の簡単な説明】
【００１５】
【図１】閉蓋状態にある本考案の一例を表した斜視図である。
【図２】図１におけるX―X線断面図である。
【図３】同上部分の他の実施例を表した縦断面図である。
【図４】本考案の実施対象とするタブレット状菓子容器の基本的構成を表した説明用斜視図である。
【図５】同上開蓋直前状態を表した説明用斜視図である。
【図６】同上開蓋状態を表した説明用斜視図である。
【考案を実施するための形態】
【００１６】
本考案は、図４乃至図６に示す従来のタブレット状菓子の容器を基本形態とし、これに操作性の良好化等を図るための改良を施したことを特徴とするものである。
【００１７】
先ず、図４に示す従来のタブレット状菓子の容器であるが、これは既述したように、上面を開放面とする矩形状容体Aに対して、当該開放面を覆うための矩形状蓋体Bを摺動自在に取り付けて成るものである。  そして、その開閉操作は、図５に示すように蓋体Bの正面上方寄りに親指を押し当てる共に、これを下方に滑らせることに依って、蓋体Bを図６に示すように押し下げる。  これにより同図に示すように容体Aの上端部分が開かれ、ここから収容されているタブレット状菓子の振り出しが許容化されるようにしたものである。
【００１８】
なお、図４において、aは容体Aの菓子取出し側隅角部に形成した区画部であって、その側方にタブレット状菓子を寄せることに依って、その取り出しのスムーズ化を図るためのものである。  また、bは蓋体Bの下端面に形成した切欠き部であって、ここから指を入れて容体Aを押し上げることに依って、タブレット状菓子の取り出しのための開蓋操作ができるようにしたものである。  換言すると、開蓋操作には前記親指に依る操作と上記押し上げ操作の二通りがあるが、操作動作のスマート性から前者の方法が採られることが殆どである。
【００１９】
図１及び図２は本考案に係るタブレット状菓子の容器の第１の実施例を表したものである。  同図において、１は蓋体Bの表面に付設した適宜の立体的飾り的模様材であって、これは下面を貼り着に適した平坦面とするが、上面はある程度の凹凸模様を立体的に形成することにより滑り止め的作用が奏されるようにしたものである。  すなわち、当該模様材１は容器の蓋体Bの意匠上大きな比重を占めるため、その形状、色彩等は当業者が精査したものとすることが重要である。  然し乍、製品の機能的には、開蓋のために親指を掛ける部分に存在し、かつ良好なる滑り止め作用を奏する模様とすることが第１義的な問題である。
【００２０】
また、前記立体的飾り模様材1であるが、商品の販売または管理に際して、多数の容器を積み上げることを考慮し、その際の安定性が図られる程度の厚さと凹凸性を具えたものとするような配慮が必要である。  そして、その材質としては合成樹脂材、特に軟質合成樹脂材とすることが好ましい。  更に、図１に示す実施例にあっては、上方と下方に別個の飾り模様材を付設するように構成してあるが、これはあくまでもデザイン上のバランスからであり、重要なのは親指を当てる部分たる上方部分の飾り模様材の付設が重要であり、考案の骨子的構成とされるものである。
【００２１】
図３は本考案の第２の実施例を表したものであって、これは蓋体Bの表面全体に立体的飾り模様材２を付設するように構成したものである。  このような形態を採ることに依り、立体的飾り模様材のデザイン性の向上化を図ると同時に、容器の蓋体部分に対して、製品としての識別性または内容の表示性を高めるための一種のラベル的な役割を担わせることが可能化される。  同時に蓋体Bの補強性も図られる。
【００２２】
更に、立体的飾り模様材１または２の形成であるが、これは蓋体Bの形成と同時的に成形することを一般的とする。  然し乍、無模様かつ無装飾状態(所謂白紙状態)の蓋体を具えたタブレット状菓子の容器を予め製造しておき、販売時または頒布時に、例えば商品名、ロゴマーク、キャラクターマーク等を後付的に添付すると言うような利用形態を採ることに依り、拡販材としての利用を図るに最適商品とすることができる。  本考案はこのような形態で実施する場合もある。
【００２３】
本考案に係るタブレット状菓子の容器の開蓋操作は従来のものと全く同様にして行う。  この時、立体的飾り模様材１または２の存在が滑り止め作用を奏し、操作の円滑化が図られる。
【符号の説明】
【００２４】
A    矩形状容体A
B    蓋体
１  立体的飾り模様材
２  立体的飾り模様材
【図１】
0003182654.tif 000003
【図２】
0003182654.tif 000004
【図３】
0003182654.tif 000005
【図４】
0003182654.tif 000006
【図５】
0003182654.tif 000007
【図６】
0003182654.tif 000008